(57)【要約】 【課題】既存のアルミサッシを残したまま、掃出し窓のサッシ下枠に隣接する床材を補修する。【解決手段】本発明に係る床構造１は、防水性床材２の一方の縁部に形成されたサッシ側嵌合凹部３を、掃出し窓が取り付けられるサッシ４の下枠５のうち、室内側に延設された室内側縁部６に嵌め込むとともに、防水性床材２の他方の縁部に形成された室内側嵌合凸部７を室内に敷設された床材８の雌実９に嵌合してある。床材８は、その上面に他方の縁部から一方の縁部に向かう水勾配１０を形成してあるとともに、他方の縁部近傍に突条１１を設けて結露水を遮断するように構成してある。【選択図】  図１
2008050798.tif 000002
【特許請求の範囲】
【請求項１】
防水性床材の一方の縁部に形成されたサッシ側嵌合凹部を、掃出し窓が取り付けられるサッシの下枠のうち、室内側に延設された室内側縁部に嵌め込むとともに、前記防水性床材の他方の縁部に形成された室内側嵌合凸部を室内に敷設された床材の雌実に嵌合したことを特徴とする床構造。
【請求項２】
前記防水性床材の上面に前記他方の縁部から前記一方の縁部に向かう水勾配を設けるとともに、前記他方の縁部近傍に突条を設けて結露水を遮断するようにした請求項１記載の床構造。
【請求項３】
室内に敷設された床材のうち、掃出し窓が取り付けられたサッシの下枠に当接し又は見切り材を介して配置された床材を撤去し、次いで、撤去された部分に前記サッシの下枠に当接するように防水性床材を敷設する床構造の施工方法であって、前記防水性床材を敷設する際、該防水性床材の一方の縁部に形成されたサッシ側嵌合凹部を、前記サッシの下枠のうち、室内側に延設された室内側縁部に嵌め込むとともに、前記防水性床材の他方の縁部に形成された室内側嵌合凸部を前記床材の雌実に嵌合することを特徴とする床構造の施工方法。
【発明の詳細な説明】
【技術分野】
【０００１】
本発明は、掃出し窓に適用される床構造及びその施工方法に関する。
【背景技術】
【０００２】
住宅の開口部には、窓を嵌め込む枠材としてアルミサッシを取り付けることが多いが、かかるアルミサッシは、アルミニウムという材質上、熱伝導率が高い。
【０００３】
そのため、冬期にサッシの室内面が結露しやすくなるとともに、サッシから流下してきた結露水は、開口部の下縁を構成する木部の表面を変色させたり、シミを形成したり、木部を腐食させたりする原因となる。
【０００４】
そのため、かかる結露水の対策として、さまざまな観点から技術開発が行われてきた。
【０００５】
【特許文献１】特開平８−９３３３０号公報
【特許文献２】特開平１０−２９２７４５号公報
【特許文献３】特開２００１−１３２３５６号公報
【特許文献４】特開２００２−４７１９号公報
【特許文献５】特開２００２−２１３１４８号公報
【特許文献６】特開２００２−３０９８５７号公報
【発明の開示】
【発明が解決しようとする課題】
【０００６】
ここで、特許文献１，４，５には、結露水が室内に入らぬように改良されたアルミサッシが開示されている。また、特許文献２には、サッシ下枠と開口部との間に排水溝を形成した遮水部材を介在させる点が開示されており、特許文献３には、開口部の内周縁に調湿部材を取り付ける点が、特許文献６には、サッシ縦枠と開口部の側面との間に合成樹脂で形成された見切り材を介在させる点がそれぞれ開示されている。
【０００７】
しかしながら、サッシの結露水による不具合は、湿気が除去されにくい掃出し窓の下方で生じやすく、かかる掃出し窓に嵌め込まれるサッシの下枠に隣接した箇所、すなわち、掃出し窓に最も近い床材は、結露水のために変色したり、腐食したりする。
【０００８】
翻って、上述した従来技術は、新築時にしか適用できなかったり、開口部の側方にしか適用できなかったりと、いずれもリフォーム時において掃出し窓に適用することができないという問題を生じていた。
【０００９】
ちなみに、特許文献２に開示された遮水部材は、リフォーム時への適用について言及があるものの、既存アルミサッシの下枠下方に排水部材を嵌め込むことは、実際には困難が予想される。
【課題を解決するための手段】
【００１０】
本発明は、上述した事情を考慮してなされたもので、既存のアルミサッシを残したまま、掃出し窓のサッシ下枠に隣接する床材を補修することが可能な床構造及びその施工方法を提供することを目的とする。
【００１１】
上記目的を達成するため、本発明に係る床構造は請求項１に記載したように、防水性床材の一方の縁部に形成されたサッシ側嵌合凹部を、掃出し窓が取り付けられるサッシの下枠のうち、室内側に延設された室内側縁部に嵌め込むとともに、前記防水性床材の他方の縁部に形成された室内側嵌合凸部を室内に敷設された床材の雌実に嵌合したものである。
【００１２】
また、本発明に係る床構造は、前記防水性床材の上面に前記他方の縁部から前記一方の縁部に向かう水勾配を設けるとともに、前記他方の縁部近傍に突条を設けて結露水を遮断するようにしたものである。
【００１３】
また、本発明に係る床構造の施工方法は請求項３に記載したように、室内に敷設された床材のうち、掃出し窓が取り付けられたサッシの下枠に当接し又は見切り材を介して配置された床材を撤去し、次いで、撤去された部分に前記サッシの下枠に当接するように防水性床材を敷設する床構造の施工方法であって、前記防水性床材を敷設する際、該防水性床材の一方の縁部に形成されたサッシ側嵌合凹部を、前記サッシの下枠のうち、室内側に延設された室内側縁部に嵌め込むとともに、前記防水性床材の他方の縁部に形成された室内側嵌合凸部を前記床材の雌実に嵌合するものである。
【００１４】
本発明に係る床構造及びその施工方法においては、掃出し窓が取り付けられるサッシの下枠と床材との間に床材を兼ねる防水性床材を敷設するが、かかる防水性床材は、一方の縁部にサッシ側嵌合凹部を形成してあるとともに、他方の縁部に室内側嵌合凸部を形成してあり、敷設の際には、サッシ側嵌合凹部を、掃出し窓が取り付けられるサッシの下枠のうち、室内側に延設された室内側縁部に嵌め込むとともに、室内側嵌合凸部を室内に敷設された床材の雌実に嵌合する。
【００１５】
このようにすると、床をリフォームする際、サッシを交換せずとも、サッシの下枠近傍における防水性を高めることが可能となる。
【００１６】
また、防水性床材を敷設するにあたっては、フローリングの施工方法と同様の手順で行うことができる。すなわち、既存の床材を撤去した後、防水性床材のサッシ側嵌合凹部をサッシ下枠の室内側縁部に嵌め込み、該防水性床材を根太や床下地材に固定した後、室内側嵌合凸部に床材の雌実を嵌め込み、次いで、その床材の雄実を釘止めし、以下、通常のフローリング施工手順にしたがって床材の敷設を行うことができるので、作業性に優れた床構造となる。
【００１７】
防水性床材は、プラスチック等の防水性材料で形成してあるが、その断面形状については、例えば床材と同じ厚みに形成することで、床に段差がなくなり、床の連続性を保つことができる。
【００１８】
ここで、前記防水性床材の上面に前記他方の縁部から前記一方の縁部に向かう水勾配を設けるとともに、前記他方の縁部近傍に突条を設けて結露水を遮断するようにしたならば、サッシ下枠近傍の防湿性がさらに高まる。なお、突条の高さや水勾配を適宜調整することにより、上述した床の連続性を実質的に維持することが可能である。
【発明を実施するための最良の形態】
【００１９】
以下、本発明に係る床構造及びその施工方法の実施の形態について、添付図面を参照して説明する。なお、従来技術と実質的に同一の部品等については同一の符号を付してその説明を省略する。
【００２０】
図１は、本実施形態に係る床構造を示した断面図である。同図でわかるように、本実施形態に係る床構造１は、防水性床材２の一方の縁部に形成されたサッシ側嵌合凹部３を、掃出し窓が取り付けられるサッシ４の下枠５のうち、室内側に延設された室内側縁部６に嵌め込むとともに、防水性床材２の他方の縁部に形成された室内側嵌合凸部７を室内に敷設された床材８の雌実９に嵌合してある。
【００２１】
防水性床材２は、例えばプラスチックで形成することが可能であり、施工時の作業性の観点から可撓性を有しているのが望ましい。
【００２２】
床材８は、フローリングとして一般に広く使用されているものであって、一方の縁部に雌実９が、他方の縁部に雄実（図示せず）が形成してあり、先行敷設された床材の雄実に釘を斜め打ちして根太や下地合板に固定しては、次の床材の雌実を先行敷設された床材の雄実に嵌め込んでいくという手順を繰り返すことで、多数の床材８を室内に敷き並べていくものである。
【００２３】
ここで、防水性床材２は、その上面に他方の縁部から一方の縁部に向かう水勾配１０を形成してあるとともに、他方の縁部近傍に突条１１を設けて結露水を遮断するように構成してある。
【００２４】
本実施形態に係る床構造２を床のリフォーム工事に適用するには、まず、室内に敷設された古い床材を撤去する。撤去すべき床材は、サッシ４の下枠５に当接又は近接していて、変色や腐食といった不具合がみられる床材だけで足りるが、リフォーム工事の際は、色合わせ等の観点で室内の床材を全て撤去することが多いため、以下、これを想定して説明する。また、サッシ４の下枠５と床材８の間に見切り材が設けられている場合にはこれも撤去する。
【００２５】
室内の床材をすべて撤去したならば、次に、サッシ４の下枠５に当接するように防水性床材２を敷設する。
【００２６】
ここで、防水性床材２を敷設するにあたっては、図２に示すように防水性床材２の一方の縁部に形成されたサッシ側嵌合凹部３に、サッシ４の下枠５のうち、室内側に延設された室内側縁部６を嵌め込む。
【００２７】
防水性床材２の嵌合が終了したならば、釘打ち、接着等任意の方法で防水性床材２を床下地材２１に固定する。
【００２８】
次に、防水性床材２の他方の縁部に形成された室内側嵌合凸部７を床材８の雌実９に嵌合する。以下、先行敷設された床材８の雄実に釘を斜め打ちして根太２２や下地材２１に固定しては、次の床材８の雌実９を、先行敷設された床材８の雄実に嵌め込んでいくという手順を繰り返す。
【００２９】
以上説明したように、本実施形態に係る床構造１及びその施工方法によれば、防水性床材２を敷設する際、サッシ４の下枠５のうち、室内側に延設された室内側縁部６をサッシ側嵌合凹部３に嵌め込むとともに、室内側嵌合凸部７に床材８の雌実９を嵌合するので、床をリフォームする際、サッシ４を交換せずとも、サッシ４の下枠５近傍における防水性を高めることが可能となる。
【００３０】
また、本実施形態に係る床構造１及びその施工方法によれば、掃出し窓に生じた結露水やサッシの縦枠に生じた結露水が降りてきても、この結露水は、防水性床材２が受けることになるため、木質材料である床材８が水で濡れることはない。
【００３１】
加えて、防水性床材２の上面に他方の縁部から一方の縁部に向かう水勾配１０を設けるとともに、他方の縁部近傍に突条１１を設けて結露水を遮断するようにしたので、サッシ４の下枠５近傍における防湿性がさらに高まる。
【００３２】
また、本実施形態に係る床構造１の施工方法によれば、防水性床材２を敷設するにあたり、フローリングの施工方法と同様の手順で行うことができるので、作業性に優れた床構造となる。
【００３３】
また、本実施形態に係る床構造１によれば、結露水を受ける部材を防水性床材２という床材で形成したので、その幅を十分に広くとることが可能となり、サッシ４の下枠５から所望の距離だけ離間させることが可能となる。
【００３４】
本実施形態では、防水性床材２の上面に他方の縁部から一方の縁部に向かう水勾配１０を設けるとともに、他方の縁部近傍に突条１１を設けて結露水を遮断するようにしたが、防水性床材２の幅いかんによっては、水勾配１０及び突条１１を省略してもかまわない。
【図面の簡単な説明】
【００３５】
【図１】本実施形態に係る床構造の鉛直断面図。
【図２】本実施形態に係る床構造を施工している様子を示した鉛直断面図。
【符号の説明】
【００３６】
１                            床構造
２                            防水性床材
３                            サッシ側嵌合凹部
４                            サッシ
５                            下枠
６                            室内側縁部
７                            室内側嵌合凸部
８                            床材
９                            雌実
【図１】
2008050798.tif 000003
【図２】
2008050798.tif 000004